Podtech/llm-jp-corpus-v4-ja_patent huggingface dataset:
【手続補正書】
【提出日】平成30年12月14日(2018.12.14)
【手続補正１】
【補正対象書類名】特許請求の範囲
【補正対象項目名】全文
【補正方法】変更
【補正の内容】
【特許請求の範囲】
【請求項１】
式（Ｉ）の化合物、又はその薬学的に許容される塩。
【化１】
2017538722.tif 000001
［式中、
Ｂ１Ａは、置換されていてもよいヘテロ環塩基又は保護アミノ基により置換されていてもよいヘテロ環塩基であり、
ＲＡは、水素又は重水素であり、
Ｒ１Ａは、水素、置換されていてもよいアシル、置換されていてもよいＯ−結合型アミノ酸、
【化２】
2017538722.tif 000002
からなる群から選択され、
Ｒａ１及びＲａ２は、独立して、水素又は重水素であり、
Ｒ２Ａは、非置換Ｃ１〜４アルキル、非置換Ｃ２〜４アルケニル、非置換Ｃ２〜４アルキニル、Ｃ１〜６ハロアルキル、Ｃ１〜６アジドアルキル、又はＣ１〜６アミノアルキルであり、
Ｒ３Ａは、水素、重水素、ハロ、ＯＨ、−ＯＣ（＝Ｏ）Ｒ”Ａ、及び置換されていてもよいＯ−結合型アミノ酸からなる群から選択され、
Ｒ４Ａは、水素又は重水素であり、
Ｒ５Ａは、水素、重水素、ハロゲン、Ｎ３、ＯＨ、置換されていてもよいＣ１〜６アルキル、置換されていてもよいＣ２〜６アルケニル、及び置換されていてもよいＣ２〜６アルキニルであり、
Ｒ６Ａ、Ｒ７Ａ、及びＲ８Ａは独立して、欠落しているか、又は、水素、置換されていてもよいＣ１〜２４アルキル、置換されていてもよいＣ３〜２４アルケニル、置換されていてもよいＣ３〜２４アルキニル、置換されていてもよいＣ３〜６シクロアルキル、置換されていてもよいＣ３〜６シクロアルケニル、置換されていてもよいアリール、置換されていてもよいヘテロアリール、置換されていてもよいアリール（Ｃ１〜６アルキル）、置換されていてもよい＊−（ＣＲ１５ＡＲ１６Ａ）ｐ−Ｏ−Ｃ１〜２４アルキル、置換されていてもよい＊−（ＣＲ１７ＡＲ１８Ａ）ｑ−Ｏ−Ｃ１〜２４アルケニル、
【化３】
2017538722.tif 000003
からなる群から選択され、あるいは、
Ｒ６Ａは、
【化４】
2017538722.tif 000004
であり、かつＲ７Ａは、欠落しているか又は水素であり、あるいは、
Ｒ６Ａ及びＲ７Ａは、互いに結合して、置換されていてもよい
【化５】
2017538722.tif 000005
及び置換されていてもよい
【化６】
2017538722.tif 000006
からなる群から選択される部位を形成して、Ｒ６Ａ及びＲ７Ａに結合した酸素、リン、及び該部位は、六員〜十員の環系を形成しており、
Ｒ９Ａは、置換されていてもよいＣ１〜２４アルキル、置換されていてもよいＣ２〜２４アルケニル、置換されていてもよいＣ２〜２４アルキニル、置換されていてもよいＣ３〜６シクロアルキル、置換されていてもよいＣ３〜６シクロアルケニル、ＮＲ３１ＡＲ３２Ａ、置換されていてもよいＮ−結合型アミノ酸、及び置換されていてもよいＮ−結合型アミノ酸エステル誘導体からなる群から独立に選択され、
Ｒ１０Ａ及びＲ１１Ａは独立して、置換されていてもよいＮ−結合型アミノ酸又は置換されていてもよいＮ−結合型アミノ酸エステル誘導体であり、
Ｒ１２Ａ及びＲ１３Ａは、独立して、欠落しているか又は水素であり、
Ｒ１４Ａは、Ｏ−、ＯＨ、又はメチルであり、
それぞれのＲ１５Ａ、それぞれのＲ１６Ａ、それぞれのＲ１７Ａ、及びそれぞれのＲ１８Ａは独立して、水素、置換されていてもよいＣ１〜２４アルキル、又はアルコキシであり、
Ｒ１９Ａ、Ｒ２０Ａ、Ｒ２２Ａ、及びＲ２３Ａは、水素、置換されていてもよいＣ１〜２４アルキル、及び置換されていてもよいアリールからなる群から独立に選択され、
Ｒ２１Ａ及びＲ２４Ａは、水素、置換されていてもよいＣ１〜２４アルキル、置換されていてもよいアリール、置換されていてもよい−Ｏ−Ｃ１〜２４アルキル、置換されていてもよい−Ｏ−アリール、置換されていてもよい−Ｏ−ヘテロアリール、置換されていてもよい−Ｏ−単環式ヘテロシクリル、及び
【化７】
2017538722.tif 000007
からなる群から独立に選択され、
Ｒ２５Ａ、Ｒ２６Ａ、及びＲ３０Ａは、水素、置換されていてもよいＣ１〜２４アルキル、及び置換されていてもよいアリールからなる群から独立に選択され、
Ｒ２７Ａ及びＲ２８Ａは、独立して、−Ｃ≡Ｎ又はＣ２〜８オルガニルカルボニル、Ｃ２〜８アルコキシカルボニル、及びＣ２〜８オルガニルアミノカルボニルからなる群から選択される置換されていてもよい置換基であり、
Ｒ２９Ａは、水素、置換されていてもよいＣ１〜２４アルキル、置換されていてもよいＣ２〜２４アルケニル、置換されていてもよいＣ２〜２４アルキニル、置換されていてもよいＣ３〜６シクロアルキル、及び置換されていてもよいＣ３〜６シクロアルケニルからなる群から選択され、
Ｒ３１Ａ及びＲ３２Ａは、水素、置換されていてもよいＣ１〜２４アルキル、置換されていてもよいＣ２〜２４アルケニル、置換されていてもよいＣ２〜２４アルキニル、置換されていてもよいＣ３〜６シクロアルキル、置換されていてもよいＣ３〜６シクロアルケニル、及び置換されていてもよいアリール（Ｃ１〜４アルキル）からなる群から独立に選択され、
Ｒ”Ａは、置換されていてもよいＣ１〜２４アルキルであり、
ｍ及びｔは、独立して、０又は１であり、
ｐ及びｑは、１、２、及び３からなる群から独立に選択され、
ｓは、０、１、２、又は３であり、
ｒ及びｕは、独立して、１又は２であり、
ｙは、３、４、又は５であり、
Ｚ１Ａ、Ｚ２Ａ、Ｚ３Ａ、及びＺ４Ａは、独立して、Ｏ又はＳである］
【手続補正書】
【提出日】平成30年12月17日(2018.12.17)
【手続補正１】
【補正対象書類名】特許請求の範囲
【補正対象項目名】全文
【補正方法】変更
【補正の内容】
【特許請求の範囲】
【請求項１】
a. スチレンと、2〜5個の炭素原子を含有し、1つ又は2つのエチレン性不飽和を含む炭化水素のモノマーとの、約0℃未満の第1のTg及び約25℃超の第2のTgを有する、非晶質炭化水素ブロックコポリマーから選択される少なくとも1種の熱可塑性エラストマー、
b. 非水性分散体中で安定化された、C1〜C4アルキル(メタクリレート)ポリマーのポリマー粒子から選択される少なくとも1種の接着性膜形成ポリマー、及び
c. 少なくとも1種のフィラー
を含む、皮膚引き締め組成物。
【請求項２】
前記少なくとも1種の熱可塑性エラストマーが、
-  スチレン-エチレン/プロピレンコポリマー、スチレン-エチレン/ブタジエンコポリマー、スチレン-エチレン/ブチレンコポリマー、スチレン-ブタジエン、又はスチレン-イソプレンコポリマーから選択されるジブロックコポリマー、
-  スチレン-エチレン/プロピレン-スチレンコポリマー、スチレン-エチレン/ブタジエン-スチレンコポリマー、スチレン-イソプレン-スチレンのコポリマー、又はスチレン-ブタジエン-スチレンのコポリマーから選択されるトリブロックコポリマー、及び
-  これらの混合物
から選択される、請求項１に記載の皮膚引き締め組成物。
【請求項３】
前記少なくとも1種の接着性ポリマーが、油分散体中の、約80質量%〜約100質量%のC1〜C4アルキル(メタ)アクリレート及び約0質量%〜約20質量%のC1〜C4アルキル(メタクリレート)ポリマーのエチレン性不飽和酸モノマーを含むポリマー粒子から選択される、請求項１に記載の皮膚引き締め組成物。
【請求項４】
前記ポリマー粒子が、
-  1種又は複数のC1〜C4アルキル(メタクリレート)ポリマーからなるポリマー、及び
-  C1〜C4(メタ)アクリレートと(メタ)アクリル酸又は無水マレイン酸とのコポリマーから本質的になるポリマー
から選択される、請求項３に記載の皮膚引き締め組成物。
【請求項５】
前記C1〜C4アルキル(メタクリレート)ポリマーが、メチル(メタ)アクリレート、エチル(メタ)アクリレート、n-プロピル(メタ)アクリレート、イソプロピル(メタ)アクリレート、n-ブチル(メタ)アクリレート及びtert-ブチル(メタ)アクリレートポリマーから選択される、請求項４に記載の皮膚引き締め組成物。
【請求項６】
前記油がイソドデカンである、請求項３に記載の皮膚引き締め組成物。
【請求項７】
前記少なくとも1種のフィラーが、約100nm超の粒径及び/又は約200m2/g超の比表面積を有するフィラーから選択される、請求項１に記載の皮膚引き締め組成物。
【請求項８】
前記少なくとも1種のフィラーが、シリカ粒子から選択される、請求項１に記載の皮膚引き締め組成物。
【請求項９】
前記少なくとも1種のフィラーが、任意選択によりトリメチルシリル基で表面修飾されていてもよい、疎水性シリカエアロゲル粒子から選択される、請求項８に記載の皮膚引き締め組成物。
【請求項１０】
任意選択により揮発性炭化水素系油及び揮発性シリコーン油から選択されてもよい、室温(25℃)で約1000Pa超の蒸気圧を有する溶媒から選択される少なくとも1種の溶媒を更に含む、請求項１に記載の皮膚引き締め組成物。
【請求項１１】
前記少なくとも1種の溶媒が、分枝状C8〜C16アルカン、C8〜C16イソアルカン、イソドデカン、イソデカン、イソヘキサデカン、オクタメチルテトラシロキサン、デカメチルシクロペンタシロキサン、ドデカメチルシクロヘキサシロキサン、ヘプタメチルオクチルトリシロキサン、ヘキサメチルジシロキサン、デカメチルテトラシロキサン、ドデカメチルペンタシロキサン、及びこれらの混合物から選択される、請求項１０に記載の皮膚引き締め組成物。
【請求項１２】
シリコーンエラストマー、湿潤剤、水、及び着色料から選択される少なくとも1種の追加の成分を更に含む、請求項１に記載の皮膚引き締め組成物。
【請求項１３】
前記少なくとも1種の熱可塑性エラストマー、少なくとも1種の接着性ポリマー、及び少なくとも1種のフィラーが、組成物の質量に対して、合わせて約10質量%超、好ましくは約15質量%超、最も好ましくは約20質量%超の量で存在する、請求項１に記載の皮膚引き締め組成物。
【請求項１４】
熱可塑性エラストマー：接着性ポリマーの比が、約1：10〜10：1、好ましくは約1：5〜5：1、最も好ましくは約1：1〜8：1の範囲である、請求項１に記載の皮膚引き締め組成物。
【請求項１５】
前記組成物が、約100Pa超(10%歪みで)の粘稠度G*及び約45°未満の位相角を有する、請求項１に記載の皮膚引き締め組成物。
【請求項１６】
約500kPa超のヤング率を有する、請求項１から１５のいずれか一項に記載の組成物から形成される皮膚引き締め膜。
【請求項１７】
ヤング率が約1000kPa超である、請求項１６に記載の皮膚引き締め膜。
【請求項１８】
皮膚の外観を改善するための方法であって、請求項１から１５のいずれか一項に記載の組成物を皮膚に適用することによって、前記皮膚上に膜を形成する工程を含み、
前記皮膚上に形成された前記膜のヤング率が、約500kPa超である、方法。
【請求項１９】
前記膜のヤング率が約1000kPa超である、請求項１８に記載の方法。
【手続補正書】
【提出日】平成30年12月14日(2018.12.14)
【手続補正１】
【補正対象書類名】特許請求の範囲
【補正対象項目名】全文
【補正方法】変更
【補正の内容】
【特許請求の範囲】
【請求項１】
経皮薬物送達デバイスであって、
支持体と、
前記支持体上に配置された接着剤組成物と、
を含み、前記接着剤組成物は、
コポリマーであって、前記コポリマーの総重量に対して少なくとも５０重量％のＣ４〜Ｃ１０アルキルアクリレート単位と、ビニルアセテート、アクリルアミド、エチルアクリレート、メチルアクリレート、及びＮ−ビニル−２−ピロリドンからなる群から選択される１種以上の第２のモノマー単位と、を含むコポリマー（ここで、前記Ｃ４〜Ｃ１０アルキルアクリレート単位と、前記１種以上の第２のモノマー単位が、合わせて前記コポリマーの少なくとも９８重量％を占める）と、
前記接着剤組成物の総重量に対して５重量％〜２５重量％の範囲の皮膚透過促進剤と、
前記接着剤組成物の総重量に対して３重量％〜７．５重量％の範囲のフェンタニルと、を含み、
前記接着剤組成物は、未溶解のフェンタニルを実質的に含まず、且つ、前記接着剤組成物は、前記支持体上に３〜６ｍｇ／ｃｍ２の範囲の被覆重量の層として配置されている、経皮薬物送達デバイス。
【請求項２】
前記経皮薬物送達デバイス中の前記フェンタニル含量が最大０．３ｍｇ／ｃｍ２である、請求項１に記載の経皮薬物送達デバイス。
【請求項３】
前記経皮薬物送達デバイスの７２時間後の正規化累積流束が、フェンタニル１ｍｇ当たり少なくとも６００μｇである、請求項１又は２に記載の経皮薬物送達デバイス。
【請求項４】
経皮薬物送達デバイスであって、
支持体と、
前記支持体上に配置された接着剤組成物と、
を含み、前記接着剤組成物は、
コポリマーであって、前記コポリマーの総重量に対して少なくとも５０重量％のＣ４〜Ｃ１０アルキルアクリレートと、ビニルアセテート、アクリルアミド、エチルアクリレート、メチルアクリレート、及びＮ−ビニル−２−ピロリドンからなる群から選択される１種以上の第２のモノマー単位と、を含むコポリマー（ここで、アルキルアクリレートと、前記１種以上の第２のモノマー単位が、合わせて前記コポリマーの少なくとも９８重量％を占める）と、
前記接着剤組成物の総重量に対して５重量％〜２５重量％の範囲の皮膚透過促進剤と、
フェンタニルと
を含み、
前記経皮薬物送達デバイス中の前記フェンタニル含量は最大０．５ｍｇ／ｃｍ２であり、前記接着剤組成物は未溶解のフェンタニルを実質的に含まず、前記経皮薬物送達デバイスの７２時間後の正規化累積流束は、フェンタニル１ｍｇ当たり少なくとも６００μｇである、経皮薬物送達デバイス。
【請求項５】
前記接着剤組成物が、フェンタニルを、前記接着剤組成物の総重量に対して３重量％〜７．５重量％の範囲で含む、請求項４に記載の経皮薬物送達デバイス。
【請求項６】
１．４〜１．９の範囲の形状係数を更に有し、前記形状係数は式：
（７２時間×ピーク流束）／７２時間中の累積流束
（式中、前記７２時間×ピーク流束は７２時間中のピーク流束であり、μｇ／ｃｍ２／時の単位で測定され、前記７２時間中の累積流束は、μｇ／ｃｍ２の単位で測定される）によって示される、請求項１〜５のいずれか一項に記載の経皮薬物送達デバイス。
【請求項７】
約１．２５ｍｇ、約２．５ｍｇ、約５ｍｇ、約７．５ｍｇ、及び約１０ｍｇからなる群から選択されるフェンタニル総含量を更に有する、請求項１〜６のいずれか一項に記載の経皮薬物送達デバイス。
【請求項８】
前記コポリマーが前記第２のモノマー単位を少なくとも２種含み、前記Ｃ４〜Ｃ１０アルキルアクリレートと、前記第２のモノマー単位の少なくとも２種が、合わせて前記コポリマーの少なくとも９８重量％を占めるか、
前記コポリマーが、前記Ｃ４〜Ｃ１０アルキルアクリレートを６０〜９７重量％の範囲で、アクリルアミド又はＮ−ビニル−２−ピロリドンのうちの少なくとも１種を３〜１０重量％の範囲で、及びビニルアセテートを０〜３０重量％の範囲で（ここで、各重量％は前記コポリマーの総重量に対するものである）含むか、又は
前記コポリマーが、前記Ｃ４〜Ｃ１０アルキルアクリレートを５０〜７５重量％の範囲で、及びビニルアセテートを２５〜５０重量％の範囲で（ここで、各重量％は前記コポリマーの総重量に対するものである）含む、請求項１〜７のいずれか一項に記載の経皮薬物送達デバイス。
【請求項９】
前記Ｃ４〜Ｃ１０アルキルアクリレートが、イソオクチルアクリレート、２−エチルヘキシルアクリレート、又はこれらの組み合わせである、請求項８に記載の経皮薬物送達デバイス。
【請求項１０】
前記接着剤組成物が、皮膚透過促進剤を、前記接着剤組成物の総重量に対して１３〜２０重量％の範囲で含み、且つ
前記皮膚透過促進剤が、イソプロピルミリステート、テトラグリコール、メチルラウレート、プロピレングリコール、プロピレングリコールモノラウレート、エチルオレエート、２−オクチル−１−ドデカノール、ラウリルラクテート、又はラウリルアルコールのうちの少なくとも１つを含む、請求項１〜９のいずれか一項に記載の経皮薬物送達デバイス。
【手続補正書】
【提出日】平成30年12月13日(2018.12.13)
【手続補正１】
【補正対象書類名】特許請求の範囲
【補正対象項目名】全文
【補正方法】変更
【補正の内容】
【特許請求の範囲】
【請求項１】
哺乳類での、非アルコール性脂肪肝疾患（ＮＡＦＬＤ）または非アルコール性脂肪肝肝炎（ＮＡＳＨ）を処置または予防する方法で使用するための、処置または予防するために有効な量のブドウ生成物を含む医薬組成物であって、前記方法は、哺乳類に医薬組成物を投与することを含む、前記医薬組成物。
【請求項２】
哺乳類での、脂肪肝、脂肪肝炎または肝線維症を減少させる方法で使用するための、処置または予防するために有効な量のブドウ生成物を含む医薬組成物であって、前記方法は、哺乳類に医薬組成物を投与することを含む、前記医薬組成物。
【請求項３】
哺乳類の肝臓での酸化的ストレスを減少または予防する方法で使用するための、処置または予防するために有効な量のブドウ生成物を含む医薬組成物であって、前記方法は、哺乳類に医薬組成物を投与することを含む、前記医薬組成物。
【請求項４】
脂質過酸化を減少または予防する、請求項３に記載の医薬組成物。
【請求項５】
哺乳類の肝臓でのチトクロムＰ４５０および／または第ＩＩ相の酵素的解毒系を保護、支持、増強または維持する方法で使用するための、処置または予防するために有効な量のブドウ生成物を含む医薬組成物であって、前記方法は、哺乳類に医薬組成物を投与することを含む、前記医薬組成物。
【請求項６】
哺乳類での抗酸化物質の産生を増大させる方法で使用するための、処置するために有効な量のブドウ生成物を含む医薬組成物であって、前記方法は、哺乳類に医薬組成物を投与することを含む、前記医薬組成物。
【請求項７】
抗酸化物質は、グルタチオン、スーパーオキシドジスムターゼまたはカタラーゼである
、請求項６に記載の医薬組成物。
【請求項８】
ブドウ生成物は、肝臓に沈着した脂肪の量を減少させる、請求項１に記載の医薬組成物。
【請求項９】
ブドウ生成物は、全搾りかすもしくはその画分、ブドウ種子生成物、ブドウの皮生成物、もしくはその任意の抽出物、またはそれらの任意の組み合わせである、請求項１に記載の医薬組成物。
【請求項１０】
ブドウ種子生成物は、ブドウ種子粉末である、請求項９に記載の医薬組成物。
【請求項１１】
ブドウ生成物は、ブドウの皮抽出物、ブドウの皮粉末、またはブドウの皮粉体である、請求項９に記載の医薬組成物。
【請求項１２】
ブドウ生成物は、搾りかす抽出物である、請求項９に記載の医薬組成物。
【請求項１３】
ブドウ生成物は、ブドウ種子抽出物である、請求項９に記載の医薬組成物。
【請求項１４】
ブドウ抽出物は、メタノールまたはエタノール抽出物である、請求項１３に記載の医薬組成物。
【請求項１５】
哺乳類は、高脂肪食餌中である、請求項１に記載の医薬組成物。
【請求項１６】
哺乳類は、３０から５０カロリー％含有量の脂肪を含む食餌中である、請求項１に記載の医薬組成物。
【請求項１７】
ブドウは、シャルドネのブドウである、請求項１に記載の医薬組成物。
【請求項１８】
ブドウは、カベルネソービニヨンのブドウ、ピノノワールのブドウ、ソービニヨンブランのブドウ、またはホワイトリースリングのブドウである、請求項１に記載の医薬組成物。
【請求項１９】
ブドウ生成物および少なくとも１つの追加の化合物を含む、医薬組成物であって、前記ブドウ生成物は、全搾りかすもしくはその一部、ブドウ種子生成物、ブドウの皮生成物もしくはそれらの任意の組み合わせ、またはそれらの任意の抽出物である、前記医薬組成物。
【請求項２０】
ブドウ種子生成物は、ブドウ種子粉末である、請求項１９に記載の医薬組成物。
【請求項２１】
ブドウの皮生成物は、ブドウの皮抽出物である、請求項１９に記載の医薬組成物。
【請求項２２】
ブドウは、シャルドネのブドウ、カベルネソービニヨンのブドウ、ピノノワールのブドウ、ソービニヨンブランのブドウまたはホワイトリースリングのブドウ生成物である、請求項１９〜２１のいずれか１項に記載の医薬組成物。
【請求項２３】
少なくとも１つの追加の化合物は、抗酸化物質である、請求項１９に記載の医薬組成物。
【請求項２４】
少なくとも１つの追加の化合物は、ビタミンＥ、オベチコール酸、２，４−ジニトロフェノール（ＤＮＰ）、ＤＮＰ−メチルエーテル（ＤＮＰＭＥ）、抗血糖化合物、または抗
コレステロール化合物である、請求項１９に記載の医薬組成物。
【請求項２５】
少なくとも１つの追加の化合物は、ビタミンＥ、ビタミンＡ、ビタミンＣ、カロテノイド、リポ酸、ユビキノール、ユビキノンまたはグルタチオンである、請求項１９に記載の医薬組成物。
【請求項２６】
少なくとも１つの追加の化合物は、ｓ−アデノシル−メチオニン、トリメチルグリシン、またはメチオニンである、請求項１９に記載の医薬組成物。
【請求項２７】
少なくとも１つの追加の化合物は、ホスファチド、必須脂肪酸、コリン、またはＢビタミンである、請求項１９に記載の医薬組成物。
【請求項２８】
少なくとも１つの追加の化合物は、植物またはその抽出物である、請求項１９に記載の医薬組成物。
【請求項２９】
植物またはその抽出物は、ミルクシスル、チョウセンゴミシ、ゴボウ、タンポポ、アーティチョーク、ウコン、クサノオウ、葛、チコリもしくはイエロードック、またはそれらの任意の抽出物である、請求項２８に記載の医薬組成物。
【請求項３０】
抗血糖化合物は、インスリン感受性改善薬である、請求項２４に記載の医薬組成物。
【請求項３１】
インスリン感受性改善薬は、ピオグリタゾン、メトホルミン、チアゾリジンジオンまたはスルホニル尿素である、請求項３０に記載の医薬組成物。
【請求項３２】
抗コレステロール化合物は、ＨＭＧ−ＣｏＡ還元酵素阻害剤である、請求項２４に記載の医薬組成物。
【請求項３３】
ＨＭＧ−ＣｏＡ還元酵素阻害剤は、アトルバスタチン、フルバスタチン、ロバスタチン、ピタバスタチン、プラバスタチン、ロスバスタチンまたはシンバスタチンである、請求項３２に記載の医薬組成物。
【手続補正書】
【提出日】平成30年12月7日(2018.12.7)
【手続補正１】
【補正対象書類名】特許請求の範囲
【補正対象項目名】全文
【補正方法】変更
【補正の内容】
【特許請求の範囲】
【請求項１】
哺乳動物での全身性毛包虫症の治療用の医薬の調製のための、下記式（Ｉ）のイソオキサゾリン化合物またはその塩もしくは溶媒和物もしくはＮ−オキサイドの使用。
【化１】
2017538767.tif 000001
［式中、
Ｒ１＝ハロゲン、ＣＦ３、ＯＣＦ３、ＣＮであり、
ｎ＝０から３の整数、好ましくは１、２または３であり、
Ｒ２＝Ｃ１−Ｃ３−ハロアルキル、好ましくはＣＦ３またはＣＦ２Ｃｌであり、
Ｔ＝
【化２】
2017538767.tif 000002
であり、
Ｙ＝メチル、ハロメチル、ハロゲン、ＣＮ、ＮＯ２、ＮＨ２−Ｃ＝Ｓであるか、２個の隣接する基Ｙが一緒になって、鎖、特に３もしくは４員の鎖を形成し；
Ｑ＝Ｘ−ＮＲ３Ｒ４であるか、または、以下から選択され：
【化３】
2017538767.tif 000003
Ｘ＝ＣＨ２、ＣＨ（ＣＨ３）、ＣＨ（ＣＮ）、ＣＯまたはＣＳであり、
Ｒ３＝水素、メチル、ハロエチル、ハロプロピル、ハロブチル、メトキシメチル，メトキシエチル、ハロメトキシメチル、エトキシメチル、ハロエトキシメチル、プロポキシメチル、エチルアミノカルボニルメチル、エチルアミノカルボニルエチル、ジメトキシエチル、プロピニルアミノカルボニルメチル、Ｎ−フェニル−Ｎ−メチル−アミノ、ハロエチルアミノカルボニルメチル、ハロエチルアミノカルボニルエチル、テトラヒドロフリル、メチルアミノカルボニルメチル、（Ｎ，Ｎ−ジメチルアミノ）−カルボニルメチル、プロピルアミノカルボニルメチル、シクロプロピルアミノカルボニルメチル、プロペニルアミノカルボニルメチル、ハロエチルアミノカルボニルシクロプロピル、
【化４】
2017538767.tif 000004
であり、
ここで、ＺＡ＝水素、ハロゲン、シアノ、ハロメチル（ＣＦ３）であり；
Ｒ４＝水素、エチル、メトキシメチル、ハロメトキシメチル、エトキシメチル、ハロエトキシメチル、プロポキシメチル、メチルカルボニル、エチルカルボニル、プロピルカルボニル、シクロプロピルカルボニル、メトキシカルボニル、メトキシメチルカルボニル、アミノカルボニル、エチルアミノカルボニルメチル、エチルアミノカルボニルエチル、ジメトキシエチル、プロピニルアミノカルボニルメチル、ハロエチルアミノカルボニルメチル、シアノメチルアミノカルボニルメチルまたはハロエチルアミノカルボニルエチルであり；
または、Ｒ３およびＲ４が一緒になって、
【化５】
2017538767.tif 000005
からなる群から選択される置換基を形成し、
ＺＢ＝
【化６】
2017538767.tif 000006
であり、
ZD =
【化７】
2017538767.tif 000007
である］。
【請求項２】
前記式（Ｉ）のイソオキサゾリン化合物がフルララネルである請求項１に記載の使用。
【請求項３】
前記式（Ｉ）のイソオキサゾリン化合物がアフォキソレイナーである請求項１に記載の使用。
【請求項４】
前記式（Ｉ）のイソオキサゾリン化合物がサロラナーである請求項１に記載の使用。
【請求項５】
前記式（Ｉ）のイソオキサゾリン化合物がロチラナーである請求項１に記載の使用。
【請求項６】
前記イソオキサゾリン化合物が１回、２回または３回投与される、請求項１から５のいずれか１項に記載の使用。
【請求項７】
前記イソオキサゾリン化合物の哺乳動物への単回投与を含む、請求項１から６のいずれか１項に記載の使用。
【請求項８】
前記イソオキサゾリン化合物が哺乳動物に経口投与される、請求項１から７のいずれか１項に記載の使用。
【請求項９】
前記イソオキサゾリン化合物が哺乳動物に局所投与される、請求項１から７のいずれか１項に記載の使用。
【請求項１０】
前記イソオキサゾリン化合物が注射によって非経口的に哺乳動物に投与される、請求項１から７のいずれか１項に記載の使用。
【請求項１１】
前記哺乳動物がコンパニオン・アニマルである、請求項１から７のいずれか１項に記載の使用。
【請求項１２】
前記コンパニオン・アニマルがイヌである、請求項１１に記載の使用。
【請求項１３】
単回投与後にイヌにおいてニキビダニ属種（Ｄｅｍｏｄｅｘ  ｓｐｐ．）ダニを抑制するための医薬の製造のための、式（Ｉ）のイソオキサゾリン化合物の使用。
【請求項１４】
前記の式（Ｉ）イソオキサゾリン化合物がフルララネルである請求項１３に記載の使用。
【請求項１５】
前記の式（Ｉ）イソオキサゾリン化合物がアフォキソレイナーである請求項１３に記載の使用。
【請求項１６】
前記の式（Ｉ）イソオキサゾリン化合物がサロラナーである請求項１３に記載の使用。
【請求項１７】
前記の式（Ｉ）イソオキサゾリン化合物がロチラナーである請求項１３に記載の使用。
【請求項１８】
前記ニキビダニ属種（Ｄｅｍｏｄｅｘ  ｓｐｐ．）ダニが少なくとも５６日間抑制される、請求項１３から１７のいずれか１項に記載の使用。
【請求項１９】
前記イソオキサゾリン化合物が哺乳動物に経口投与される、請求項１３から１８のいずれか１項に記載の使用。
【請求項２０】
前記イソオキサゾリン化合物が哺乳動物に局所投与される、請求項１３から１８のいずれか１項に記載の使用。
【請求項２１】
前記イソオキサゾリン化合物が哺乳動物に注射によって非経口投与される、請求項１３から１８のいずれか１項に記載の使用。
【手続補正書】
【提出日】平成30年12月7日(2018.12.7)
【手続補正１】
【補正対象書類名】特許請求の範囲
【補正対象項目名】全文
【補正方法】変更
【補正の内容】
【特許請求の範囲】
【請求項１】
式Ｉの化合物：
【化１】
2017538769.tif 000001
［式中、
ｍは、１または２であり、
ｎは、０、１、または２であり、
ＸおよびＹは、窒素またはＣＲ２であり、但し、Ｘが窒素であるとき、ＹはＣＲ２であり、さらに但し、ＸがＣＲ２であるとき、Ｙは窒素であり、
Ｒ１は、Ｈ、Ｃ１−６アルキル、またはＣ３−６シクロアルキルであり、
Ｒ２は、Ｈ、ハロゲン、Ｃ１−６アルキル、またはＣ３−６シクロアルキルであり、アルキルは、３つまでのハロゲンで置換されていてもよく、
各Ｒ３は、独立に、ハロゲン、Ｃ１−６アルキル、またはＣ３−６シクロアルキルであり、アルキルは、３つまでのハロゲンで置換されていてもよい］もしくは薬学的に許容できるその塩、または前記化合物もしくはその塩の溶媒和物。
【請求項２】
ｍが、１または２であり、
ｎが、０であり、
Ｘが、窒素であり、
Ｙが、ＣＲ２であり、
Ｒ１が、Ｈ、Ｃ１−６アルキル、またはＣ３−６シクロアルキルであり、
Ｒ２が、Ｆ、Ｃｌ、Ｃ１−３アルキル、またはシクロプロピルであり、アルキルは、３つまでのハロゲンで置換されていてもよい、請求項１に記載の化合物もしくは薬学的に許容できるその塩、または前記化合物もしくはその塩の溶媒和物。
【請求項３】
ｍが、１または２であり、
ｎが、０であり、
Ｙが、窒素であり、
Ｘが、ＣＲ２であり、
Ｒ１が、Ｈ、Ｃ１−６アルキル、またはＣ３−６シクロアルキルであり、
Ｒ２が、Ｆ、Ｃｌ、Ｃ１−３アルキル、またはシクロプロピルであり、アルキルは、３つまでのハロゲンで置換されていてもよい、請求項１に記載の化合物もしくは薬学的に許容できるその塩、または前記化合物もしくはその塩の溶媒和物。
【請求項４】
Ｘ、Ｙ、およびＲ２が、
【化３】
2017538769.tif 000002
となり、
ｎが、０であり、
Ｒ２が、Ｆ、Ｃｌ、メチル、エチル、ＣＦＨ２、ＣＦ２Ｈ、ＣＦ２ＣＨ３、ＣＦ３、またはシクロプロピルである、請求項１から３のいずれかに記載の化合物もしくは薬学的に許容できるその塩、または前記化合物もしくはその塩の溶媒和物。
【請求項５】
（Ｒ）−３−（３−メチル−２−オキソピペリジン−３−イル）−６−（５−メチルキノリン−７−イル）ピリジン−２（１Ｈ）−オンもしくは（Ｒ）−３−（２−ヒドロキシ−６−（５−メチルキノリン−７−イル）ピリジン−３−イル）−３−メチルピペリジン−２−オンまたは薬学的に許容できるその塩、あるいは前記化合物またはその塩の溶媒和物。
【請求項６】
（Ｒ）−６−（５−エチルキノリン−７−イル）−３−（３−メチル−２−オキソピペリジン−３−イル）ピリジン−２（１Ｈ）−オンもしくは（Ｒ）−３−（６−（５−エチルキノリン−７−イル）−２−ヒドロキシピリジン−３−イル）−３−メチルピペリジン−２−オンまたは薬学的に許容できるその塩、あるいは前記化合物またはその塩の溶媒和物。
【請求項７】
（Ｒ）−６−（５−クロロキノリン−７−イル）−３−（３−メチル−２−オキソピペリジン−３−イル）ピリジン−２（１Ｈ）−オンもしくは（Ｒ）−３−（６−（５−クロロキノリン−７−イル）−２−ヒドロキシピリジン−３−イル）−３−メチルピペリジン−２−オンまたは薬学的に許容できるその塩、あるいは前記化合物またはその塩の溶媒和物。
【請求項８】
（Ｒ）−６−（５−シクロプロピルキノリン−７−イル）−３−（３−メチル−２−オキソピペリジン−３−イル）ピリジン−２（１Ｈ）−オンもしくは（Ｒ）−３−（６−（５−シクロプロピルキノリン−７−イル）−２−ヒドロキシピリジン−３−イル）−３−メチルピペリジン−２−オンまたは薬学的に許容できるその塩、あるいは前記化合物またはその塩の溶媒和物。
【請求項９】
（Ｒ）−６−（５−フルオロキノリン−７−イル）−３−（３−メチル−２−オキソピペリジン−３−イル）ピリジン−２（１Ｈ）−オンもしくは（Ｒ）−３−（６−（５−フルオロキノリン−７−イル）−２−ヒドロキシピリジン−３−イル）−３−メチルピペリジン−２−オンまたは薬学的に許容できるその塩、あるいは前記化合物またはその塩の溶媒和物。
【請求項１０】
（Ｒ）−３−（３−メチル−２−オキソピロリジン−３−イル）−６−（５−メチルキノリン−３−イル）ピリジン−２（１Ｈ）−オンもしくは（Ｒ）−３−（２−ヒドロキシ−６−（５−メチルキノリン−３−イル）ピリジン−３−イル）−３−メチルピロリジン−２−オンまたは薬学的に許容できるその塩、あるいは前記化合物またはその塩の溶媒和物。
【請求項１１】
（Ｒ）−３−（３−メチル−２−オキソピペリジン−３−イル）−６−（５−メチルキノリン−３−イル）ピリジン−２（１Ｈ）−オンもしくは（Ｒ）−３−（２−ヒドロキシ−６−（５−メチルキノリン−３−イル）ピリジン−３−イル）−３−メチルピペリジン−２−オンまたは薬学的に許容できるその塩、あるいは前記化合物またはその塩の溶媒和物。
【請求項１２】
約９．５、１３．７、１９．２、２０．７、および２５．３の２θ角（°）値において特徴的なピークを有する結晶質一水和物である、請求項１１に記載の化合物。
【請求項１３】
約１８．４、２０．０、２１．１、２２．８、および２７．７の２θ角（°）値において特徴的なピークを有する結晶質塩酸塩である、請求項１１に記載の化合物。
【請求項１４】
次の化合物
【化４−１】
2017538769.tif 000003
【化４−２】
2017538769.tif 000004
のいずれか１つの化合物または薬学的に許容できるその塩、あるいは前記化合物またはその塩の溶媒和物。
【請求項１５】
請求項１から１４のいずれかに記載の式Ｉの化合物もしくは薬学的に許容できるその塩または前記化合物もしくはその塩の溶媒和物と、薬学的に許容できる添加剤とを含む医薬組成物。
【手続補正書】
【提出日】令和1年7月2日(2019.7.2)
【手続補正１】
【補正対象書類名】特許請求の範囲
【補正対象項目名】全文
【補正方法】変更
【補正の内容】
【特許請求の範囲】
【請求項１】
検出器モジュールを含む撮像システムであって、
前記検出器モジュールは、
複数の直接変換光子計数検出器ピクセルからなるブロックと、
前記複数の直接変換光子計数検出器ピクセルからなる前記ブロックに接続され、高エネルギー分解能撮像モード及び高Ｘ線フラックス撮像モードの両方用のハードウェアを有する対応する電子部品と、
を含み、
前記ハードウェアは、
第１の速度で動作する第１の整形器と、
第２の速度で動作する複数の第２の整形器と、
高エネルギー分解能撮像又は高Ｘ線フラックス撮像のうちの一方用に前記検出器モジュールを構成させるコントローラと、
を含み、
前記第１の速度は、前記第２の速度よりも速い、撮像システム。
【請求項２】
前記ハードウェアは、
前記検出器モジュールが前記高エネルギー分解能撮像モードにあることに反応して、前記複数の直接変換光子計数検出器ピクセルのすべてからの信号を、前記第１の整形器に送る複数のスイッチを含む、請求項１に記載の撮像システム。
【請求項３】
前記複数のスイッチは、前記検出器モジュールが前記高Ｘ線フラックス撮像モードにあることに反応して、前記複数の直接変換光子計数検出器ピクセルそれぞれからの信号を、前記複数の第２の整形器のうちの異なる１つに送る、請求項２に記載の撮像システム。
【請求項４】
前記第１の整形器の出力を処理する２つ以上の比較器及びカウンタからなり、各比較器は、異なるエネルギー閾値レベルを有する第１のセットと、
個別の比較器／カウンタペアからなり、各比較器／カウンタペアは、前記複数の第２の整形器のうちの対応する第２の整形器の出力を処理し、各比較器は、同じエネルギー閾値レベルを有する第２のセットと、
を更に含む、請求項１乃至３の何れか一項に記載の撮像システム。
【請求項５】
前記第１の整形器の出力を交互に処理する２つ以上の比較器及びカウンタからなる単一のセットを更に含み、各比較器は、異なるエネルギー閾値レベルを有するか、又は、２つ以上の比較器及びカウンタからなる前記セットのうちのそれぞれ異なる比較器及びカウンタを用いて前記複数の第２の整形器の個々の出力を処理し、この場合、各比較器は、同じエネルギー閾値レベルを有する、請求項１乃至３の何れか一項に記載の撮像システム。
【請求項６】
入力に基づいて、前記高エネルギー分解能撮像又は前記高Ｘ線フラックス撮像の少なくとも１つ用に、前記検出器モジュールを構成させるコントローラを更に含み、前記コントローラは、スキャン中のＸ線フラックスレートを決定し、前記入力は、決定された前記Ｘ線フラックスレートを示す、請求項１乃至５の何れか一項に記載の撮像システム。
【請求項７】
入力に基づいて、前記高エネルギー分解能撮像又は前記高Ｘ線フラックス撮像の少なくとも１つ用に、前記検出器モジュールを構成させるコントローラを更に含み、前記入力は、スキャンのための撮像プロトコルを示し、前記コントローラは、前記スキャン前に、前記高エネルギー分解能撮像又は前記高Ｘ線フラックス撮像用に前記検出器モジュールを構成させる、請求項１乃至６の何れか一項に記載の撮像システム。
【請求項８】
前記検出器モジュールは、同時用の高エネルギー分解能撮像及び高Ｘ線フラックス撮像用の電子部品を含む、請求項１に記載の撮像システム。
【請求項９】
単一の直接変換光子計数検出器ピクセルからの信号を処理する第１のペア、及び、前記複数の直接変換光子計数検出器ピクセルのすべてからの信号の合計を処理する第２のペアを含む、前記複数の直接変換光子計数検出器ピクセルそれぞれ用の２つの比較器／カウンタペアを更に含み、前記第１のペア及び前記第２のペアは、それぞれの信号を同時に処理する、請求項６に記載の撮像システム。
【請求項１０】
各第１のペアは、異なるエネルギー閾値を有し、各第２のペアは、同じエネルギー閾値を有する、請求項９に記載の撮像システム。
【請求項１１】
前記複数の直接変換光子計数検出器ピクセルのうちの少なくとも２つは、カウンタを共有する、請求項９又は１０に記載の撮像システム。
【請求項１２】
前記高エネルギー分解能撮像モード及び前記高Ｘ線フラックス撮像モードの両方用に構成される前記複数の直接変換光子計数検出器ピクセルそれぞれ用の単一の比較器／カウンタペアを更に含む、請求項８に記載の撮像システム。
【請求項１３】
前記コントローラは、スキャン中のＸ線フラックスレートを決定し、入力は、決定された前記Ｘ線フラックスレートを示す、請求項１乃至１０の何れか一項に記載の撮像システム。
【請求項１４】
より高いエネルギー分解能モード及びより高いＸ線フラックスモードのうちの１つを含む、選択された撮像プロトコル用のスキャンモードを特定するステップと、
前記より高いエネルギー分解能モード及び前記より高いＸ線フラックスモードの両方用に構成可能である検出器モジュールを、特定された前記スキャンモードに基づいて構成させるステップと、
選択された前記撮像プロトコルの前記スキャンモード用に構成された前記検出器モジュールを用いて、スキャンを行うステップと、
前記検出器モジュールを前記より高いエネルギー分解能モード用に構成させることに反応して、第１の速度で動作する第１の整形器を用いて、複数の検出器ピクセルからの出力信号を処理するステップと、
前記検出器モジュールを前記より高いエネルギー分解モード用に構成させることに反応して、第２の速度で動作する異なる整形器をそれぞれ用いて、前記複数の検出器ピクセルからの前記出力信号を処理するステップと、
により、前記スキャンからのスキャンデータを処理し、ボリュメトリック画像データを生成するステップであって、前記第１の速度は、前記第２の速度よりも遅い、ステップと、
を含む、方法。
【手続補正書】
【提出日】令和1年7月8日(2019.7.8)
【手続補正１】
【補正対象書類名】特許請求の範囲
【補正対象項目名】全文
【補正方法】変更
【補正の内容】
【特許請求の範囲】
【請求項１】
第１の高分子材料を含む第１の複数の融着繊維を備える第１の層を含む自己強化複合材（ＳＲＣ）構造を備える人工心臓弁弁尖であって、各繊維がリフロー繊維ドメイン領域によって少なくとも１つの隣接する繊維に融着されている人工心臓弁弁尖。
【請求項２】
第２の高分子材料から構成された第２の複数の融着繊維を含む第２の層をさらに備え、各繊維がリフロー繊維ドメイン領域によって少なくとも１つの隣接する繊維に融着されている、請求項１に記載の人工心臓弁弁尖。
【請求項３】
前記第１の複数の融着繊維および前記第２の複数の融着繊維が、前記第１の複数の融着繊維が前記第２の複数の融着繊維に対して第１の所定繊維角度で配向されるように、少なくとも２つの方向において整列されている、請求項２に記載の人工心臓弁弁尖。
【請求項４】
前記第１の複数の融着繊維が、第１の長手方向軸を画定する方向において整列され、前記第１の長手方向軸が前記人工心臓弁弁尖の自由縁に対して角度をなして配向されている、請求項２または請求項３に記載の人工心臓弁弁尖。
【請求項５】
前記第１の層が前記第２の層に隣接して配置されている、請求項２〜４のいずれか一項に記載の人工心臓弁弁尖。
【請求項６】
前記第１の複数の融着繊維および前記第２の複数の融着繊維が、前記ＳＲＣ構造内に二軸配向を形成するように互いに対して整列されている、請求項２〜４のいずれか一項に記載の人工心臓弁弁尖。
【請求項７】
前記所定繊維角度が直交角度である、請求項３〜５のいずれか一項に記載の人工心臓弁弁尖。
【請求項８】
前記所定繊維角度が１０度、２０度、３０度、４０度、４５度、５０度、６０度、７０度または８０度のうちの１つである、請求項３〜５のいずれか一項に記載の人工心臓弁弁尖。
【請求項９】
前記ＳＲＣ構造が、３複合材層ＳＲＣ構造、４複合材層ＳＲＣ構造または５複合材層ＳＲＣ構造を形成するための追加の層を備える、請求項２〜８のいずれか一項に記載の人工心臓弁弁尖。
【請求項１０】
前記ＳＲＣ構造の３複合材層、４複合材層または５複合材層がそれぞれ三軸配向、四軸配向または五軸配向を形成する、請求項９に記載の人工心臓弁弁尖。
【請求項１１】
前記第１の複数の融着繊維の各繊維が、前記第１の長手方向軸と平行である整列された高分子結晶配向を備える、請求項４に記載の人工心臓弁弁尖。
【請求項１２】
前記第１の高分子材料がポリウレタン、ポリイソブチレンウレタン（ＰＩＢ−ＰＵＲ）コポリマー、ポリアミド、ポリイミド、ポリカーボネート、ポリエステル、ポリエーテルエーテルケトンまたはフッ化ポリオレフィンである、請求項１〜８のいずれか一項に記載の人工心臓弁弁尖。
【請求項１３】
前記第１の高分子材料および前記第２の高分子材料が異なる材料である、請求項２〜１０のいずれか一項に記載の人工心臓弁弁尖。
【請求項１４】
前記第１の高分子材料が第１のポリウレタンであり、第２の高分子材料が第２のポリウレタンであり、前記第１のポリウレタンが前記第２のポリウレタンより高い融点を有する、請求項１３に記載の人工心臓弁弁尖。
【請求項１５】
請求項１〜１４のいずれか一項に記載の人工心臓弁弁尖を形成する方法であって、
前記第１の高分子材料から作製された複数の繊維を所定時間にわたり所定温度まで圧縮および加熱して、前記複数の繊維の一部が互いに融着される前記自己強化複合材構造を形成するステップ
を含む方法。
【手続補正書】
【提出日】令和1年5月21日(2019.5.21)
【手続補正１】
【補正対象書類名】特許請求の範囲
【補正対象項目名】全文
【補正方法】変更
【補正の内容】
【特許請求の範囲】
【請求項１】
口腔清掃装置のためのノズルであって、前記ノズルは、
入口開口を具備する近位端と、
導管により前記入口開口と流体連通している出口開口を具備する遠位端と、
前記入口開口と前記出口開口との間の前記導管の内部上に配置される少なくとも１つの構造体であって、前記ノズルを通って移動する液滴を２つ以上のより小さな液滴に分割するように構成される前記少なくとも１つの構造体と、を有する、ノズル。
【請求項２】
前記少なくとも１つの構造体が、疎水性領域を有する、請求項１記載のノズル。
【請求項３】
前記疎水性領域が、疎水性コーティングを有する、請求項２記載のノズル。
【請求項４】
前記疎水性領域が、疎水性微細構造を有する、請求項２記載のノズル。
【請求項５】
前記少なくとも１つの構造体が、複数の交互の疎水性領域と非疎水性領域とを有する、請求項１記載のノズル。
【請求項６】
前記少なくとも１つの構造体が、前記ノズルに残留している残留液体を回収し、前記回収された残留液体を少なくとも１つの液滴に組織化するように更に構成される、請求項１記載のノズル。
【請求項７】
近位端における入口開口からの複数の液滴を導管を通じて遠位端における出口開口に向けるように構成されたノズルと、
液体容器であって、動作中、前記液体容器から前記入口開口に液体が移動される前記液体容器と、
移動空気が液体と接触した場合に、プランジャによって作用される空気が液滴のバーストを生成するのに十分な高速で前記ノズル内に押し込まれるのに十分な力で前記プランジャを前記ノズルの前記近位端に向かって駆動するように構成された機械的ばね駆動ギアシステムと、
前記プランジャを駆動するように前記機械的ばね駆動ギアシステムを制御するように構成された制御ユニットを作動させるためのアクチュエータと、を有する、口腔清掃装置であって、
前記ノズルは、前記入口開口と前記出口開口との間の前記導管の内部上に配置される少なくとも１つの構造体であって、前記ノズルを通って移動する液滴を２つ以上のより小さな液滴に分割するように構成される前記少なくとも１つの構造体を有する、口腔清掃装置。
【請求項８】
前記少なくとも１つの構造体が、疎水性コーティングを有する、請求項７記載の口腔清掃装置。
【請求項９】
前記少なくとも１つの構造体が、疎水性微細構造を有する、請求項７記載の口腔清掃装置。
【請求項１０】
前記少なくとも１つの構造体が、複数の交互の疎水性領域と非疎水性領域とを有する、請求項７記載の口腔清掃装置。
【請求項１１】
前記ノズルが、前記ノズルに残留している残留液体を回収し、前記回収された残留液体を少なくとも１つの液滴に組織化するように更に構成される、請求項７記載の口腔清掃装置。
【請求項１２】
口腔清掃装置のための細長いノズルであって、前記細長いノズルは、
入口開口を具備する近位端と、
導管により前記入口開口と流体連通している出口開口を具備する遠位端と、
前記導管の内部上に配置される少なくとも１つの構造体であって、前記ノズルに残留している残留液体を回収し、前記回収された残留液体を少なくとも１つの液滴に組織化するように構成される前記少なくとも１つの構造体と、を有する、細長いノズル。
【請求項１３】
前記少なくとも１つの構造体が、前記ノズルを通って移動する液滴を２つ以上のより小さな液滴に分割するように構成される、請求項１２記載の細長いノズル。
【請求項１４】
前記ノズルが、複数の疎水性領域を有する、請求項１２記載の細長いノズル。
【手続補正書】
【提出日】令和1年5月24日(2019.5.24)
【手続補正１】
【補正対象書類名】特許請求の範囲
【補正対象項目名】全文
【補正方法】変更
【補正の内容】
【特許請求の範囲】
【請求項１】
関節の健康状態を評価するシステムであって、
動作中に関節からの音響放射を表す少なくとも１つの信号を送信可能な音響センサを含む、関節の生理機能に関する特性を検知する第１の検知アセンブリと、
前記関節の生体インピーダンスを表す少なくとも１つの信号を送信可能なセンサを含む、関節の構造に関する特性を検知する第２の検知アセンブリと、
前記第１および前記第２の検知アセンブリからの前記信号を処理することによって、関節の健康状態の評価を行う少なくとも１つのプロセッサを含む健康状態評価部と、を備えたシステム。
【請求項２】
前記第２の検知アセンブリは、前記関節の生体インピーダンスを表す少なくとも１つの信号を送信可能な前記センサへの電子インタフェースをさらに含む、請求項１に記載のシステム。
【請求項３】
前記健康状態評価部のプロセッサの少なくとも１つは、電子負荷およびアルゴリズムを用いて、生体インピーダンス測定を自動的かつ定期的に較正する、請求項１に記載のシステム。
【請求項４】
前記健康状態評価部のプロセッサの少なくとも１つは、関節角度に関して前記関節からの音響放射を表す少なくとも１つの信号を処理する、請求項１に記載のシステム。
【請求項５】
前記健康状態評価部のプロセッサの少なくとも１つは、周波数成分に基づいて信号を分離するフィルタバンクを用いて、前記関節からの音響放射を処理する、請求項１に記載のシステム。
【請求項６】
前記健康状態評価部のプロセッサの少なくとも１つは、前記関節の近傍で生じている活動の種類を検出し、前記活動の種類に基づいて前記活動中に前記関節からの前記音響放射を処理する、請求項１に記載のシステム。
【請求項７】
活動の種類は、無負荷膝屈伸運動、立ち座り運動、歩行、および階段昇降からなる群から選択される、請求項６に記載のシステム。
【請求項８】
前記健康状態評価部のプロセッサの少なくとも１つは、前記関節の生体インピーダンスを表す少なくとも１つの信号を処理し、生体インピーダンスを表す少なくとも１つの信号は関節腫脹を示す、請求項１に記載のシステム。
【請求項９】
前記健康状態評価部のプロセッサの少なくとも１つは、前記関節の生体インピーダンスを表す少なくとも１つの信号を処理し、生体インピーダンスを表す少なくとも１つの信号は前記関節の近位における血流特性を示す、請求項１に記載のシステム。
【請求項１０】
前記健康状態評価部のプロセッサの少なくとも１つは、前記関節の生体インピーダンスを表す少なくとも１つの信号を処理し、生体インピーダンスを表す少なくとも１つの信号は前記関節の近位における血液量を示す、請求項１に記載のシステム。
【請求項１１】
前記第２の検知アセンブリは、電流源、ならびに増幅段および位相敏感検波段で前記関節にわたる電位差を測定可能なプロセッサをさらに含む、請求項１に記載のシステム。
【請求項１２】
前記電流源は、電極を含む、請求項１１に記載のシステム。
【請求項１３】
前記電流源は、前記電極を介して、電流を前記関節に伝送可能である、請求項１２に記載のシステム。
【請求項１４】
前記電流源は、前記関節に損傷を与えない、安全閾値を下回る電流を伝送する、請求項１３に記載のシステム。
【請求項１５】
前記電流源は、細胞内液および細胞外液の両方を介して伝播できるような周波数で電流を伝送する、請求項１３に記載のシステム。
【請求項１６】
前記電極は、電極と皮膚との間の接触面インピーダンスの影響を低減する四極構成を含む、請求項１３に記載のシステム。
【請求項１７】
前記血流特性は、静的成分および動的成分を含む、請求項９に記載のシステム。
【請求項１８】
前記血流特性の前記静的成分は、比較的緩やかに変化する液量に関する、請求項１７に記載のシステム。
【請求項１９】
前記血流特性の前記動的成分は、比較的急速に変化する血流速度に関する、請求項１７に記載のシステム。
【請求項２０】
前記音響センサは、前記関節の近傍の機械的振動によって生じる音波を取り込む接触マイクを含む、請求項１に記載のシステム。
【請求項２１】
前記システムの一部は、前記関節の近位における装着型のものである、請求項１に記載のシステム。
【手続補正書】
【提出日】令和1年7月24日(2019.7.24)
【手続補正１】
【補正対象書類名】特許請求の範囲
【補正対象項目名】全文
【補正方法】変更
【補正の内容】
【特許請求の範囲】
【請求項１】
アタッチメントコームを有するヘアカッティング機器のためのヘアコンテナであって、前記ヘアコンテナは、
切断された毛髪部分を収容するためのヘアコンパートメントを有するコンテナハウジングと、
ヘアカッティング機器のアタッチメントコームに前記ヘアコンテナを取り付けるためのアタッチメント部と、
ヘアガイドチャネルを横方向に定める２つの横方向捕捉アームと、を有し、
前記アタッチメント部は、前記アタッチメントコームが前記ヘアカッティング機器に取り付けられる場合に、前記ヘアコンテナを前記ヘアカッティング機器に媒介的に取り付けるように構成される、ヘアコンテナ。
【請求項２】
前記ヘアコンテナが、前記アタッチメントコームが前記ヘアカッティング機器に取り付けられる場合に、前記ヘアカッティング機器の筐体部と前記アタッチメントコームとの間に少なくとも部分的に介在されるように構成される、請求項１記載のヘアコンテナ。
【請求項３】
前記アタッチメント部が、前記ヘアコンテナを前記アタッチメントコームにおいて取り外し可能な態様でロックするように構成される少なくとも１つのロック要素を有する、請求項１又は２に記載のヘアコンテナ。
【請求項４】
前記アタッチメント部が、互いに間隔を空けられるとともに前記アタッチメントコームにおいて合わせスナップロック要素と係合するように構成された、少なくとも２つの横方向ロック要素を有する、請求項３記載のヘアコンテナ。
【請求項５】
前記アタッチメント部が、前記アタッチメントコームにおいて係合位置合わせ要素を係合させるように構成された少なくとも１つの位置合わせ要素を有する、請求項３又は４に記載のヘアコンテナ。
【請求項６】
前記アタッチメントコームがコーム長さ調整のために移動される場合に、前記ヘアコンテナが、取り付けられた状態で、前記ヘアカッティング機器の前記筐体部に対して前記アタッチメントコームとともに移動されるように構成される、請求項１乃至５のいずれか１項に記載のヘアコンテナ。
【請求項７】
好ましくはショベル形状であるガイド壁と、取付けられた状態において前記アタッチメントコームの後部リブと前記ヘアカッティング機器の前記筐体部の後側との間に前記後側に近接して配置される前端部と、を更に有する、請求項１乃至６のいずれか１項に記載のヘアコンテナ。
【請求項８】
前記横方向捕捉アームは柔軟である、請求項１乃至７のいずれか１項に記載のヘアコンテナ。
【請求項９】
前記ヘアコンパートメントが、剛性のコンテナ、特に、剛性のバケット状コンパートメントとして構成され、
前記ヘアコンパートメントが、柔軟なコンテナ、特に、柔軟なバックパック状コンパートメントとして構成される、請求項１乃至８のいずれか１項に記載のヘアコンテナ。
【請求項１０】
ヘアカッティング機器のためのアタッチメントキットであって、
請求項１乃至９のいずれか１項に記載のヘアコンテナと、
前記ヘアカッティング機器に取付けられるように構成されたアタッチメントコーム、特に、取り外し可能なスナップロックマウンティングアタッチメントコームと、を有し、
前記ヘアコンテナは、前記アタッチメントコームに取付けられ、前記ヘアコンテナは、前記アタッチメントコームが前記ヘアカッティング機器に取付けられる場合に、媒介的な態様で前記ヘアカッティング機器に取付けられる、アタッチメントキット。
【請求項１１】
前記アタッチメントコームが、調整可能なアタッチメントコームであり、前記アタッチメントコームが、前記ヘアカッティング機器の調整駆動装置に係合する、特に、前記調整駆動装置の可動調整キャリッジに係合するように構成される、請求項１０記載のアタッチメントキット。
【請求項１２】
前記アタッチメントコームが、前記ヘアカッティング機器の前記筐体部からの少なくとも部分的なオフセットである尾部を有し、前記ヘアコンテナが、取付けられた状態で、前記尾部と前記筐体部との間のオフセットギャップに少なくとも部分的に係合する、請求項１０又は１１に記載のアタッチメントキット。
【請求項１３】
前記アタッチメントコームが、一体成形された射出成形部品として構成され、前記ヘアコンテナが、一体成形された射出成形部品として構成される、請求項１０乃至１２のいずれか１項に記載のアタッチメントキット。
【請求項１４】
前記アタッチメントコーム及び前記ヘアコンテナが、取付けられた状態で、前記ヘアコンパートメントにおいて受けられるようにガイドされる切断された毛髪部分が通るヘアガイドチャネルを協働して規定する、請求項１０乃至１３のいずれか１項に記載のアタッチメントキット。
【請求項１５】
ヘアカッティング機器、特に、ヘアトリマ又はヘアクリッパであって、筐体部と、ブレードセットを含む切断ユニットと、請求項１乃至９のいずれか１項に記載のヘアコンテナと、請求項１０乃至１４のいずれか１項に記載のアタッチメントキットと、を有する、ヘアカッティング機器。